(57)【要約】【課題】入力色空間の画像信号と出力色空間の画像信号との対応関係に施す調整をより効率的に実施する。【解決手段】色変換された第２色空間の画像信号を色変換特性の変動に応じて調整する色調整部２９には、用紙の種類毎に設定されたキャリブレーションプロファイルが設定され、用紙間変換係数群記憶部２７には、色調整部２９に設定される用紙の種類毎のキャリブレーションプロファイルを相互に対応付ける用紙間変換係数群が記憶される。そして、更新部２８は、色調整部２９に設定される用紙の種類毎のキャリブレーションプロファイルを、調整用変換係数群算出部２５にて算出された一の用紙に関するキャリブレーションプロファイルと用紙間変換係数群算出部２６に記憶された用紙間変換係数群とにより更新する。【選択図】図３
2011009920.tif 000002
【特許請求の範囲】
【請求項１】
第１の色空間の画像信号と第２色空間の画像信号との対応関係を定める色変換特性を用いて、当該第１の色空間の画像信号を当該第２色空間の画像信号に色変換する色変換手段と、
前記色変換手段にて色変換された前記第２色空間の画像信号を前記色変換特性の変動に応じて調整するための調整用変換係数群が当該第２色空間の画像信号に基づき画像が印刷される用紙の種類毎に設定され、当該調整用変換係数群により当該画像信号を調整する調整手段と、
前記調整手段に設定される前記調整用変換係数群を算出する算出手段と、
前記調整手段に設定される前記用紙の種類毎の前記調整用変換係数群を相互に対応付ける対応付け係数群を記憶する記憶手段と、
前記調整手段に設定される前記用紙の種類毎の調整用変換係数群を、前記算出手段にて算出された一の用紙に関する前記調整用変換係数群と前記記憶手段に記憶された前記対応付け係数群とにより更新する更新手段と
を備えたことを特徴とする画像処理装置。
【請求項２】
前記算出手段は、前記更新手段が前記記憶手段に前記対応付け係数群が記憶されていない第１の前記用紙に関する第１の前記調整用変換係数群を更新する場合に、当該第１の用紙に関する第１の調整用変換係数群に加えて、前記記憶手段に前記対応付け係数群が記憶されている第２の前記用紙に関する第２の前記調整用変換係数群を算出し、
前記算出手段にて算出された前記第１の調整用変換係数群と前記第２の調整用変換係数群とから、当該第１の調整用変換係数群と当該第２の調整用変換係数群とを相互に対応付ける前記対応付け係数群を算出し、算出した当該対応付け係数群を前記記憶手段に記憶する対応付け係数群算出手段をさらに備えたことを特徴とする請求項１記載の画像処理装置。
【請求項３】
前記用紙に予め定めた色見本群の印刷を指示する印刷指示手段をさらに備え、
前記印刷指示手段は、前記対応付け係数群算出手段が前記第１の調整用変換係数群と前記第２の調整用変換係数群とを相互に対応付ける対応付け係数群を算出する場合に、前記第１の用紙に加えて前記第２の用紙に対して前記色見本群を印刷するように指示することを特徴とする請求項２記載の画像処理装置。
【請求項４】
前記更新手段は、第３の前記用紙に関する前記調整用変換係数群を更新する場合に、前記算出手段にて算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項１記載の画像処理装置。
【請求項５】
前記更新手段が第５の前記用紙に関する前記調整用変換係数群の更新を行う場合に、前記算出手段にて算出された第６の前記用紙に関する前記調整用変換係数群と、前記記憶手段に記憶された当該第６の用紙に関する調整用変換係数群と当該第５の用紙に関する調整用変換係数群とを対応付ける前記対応付け係数群とにより当該更新を行うか、当該算出手段にて算出された当該第６の用紙に関する調整用変換係数群と、当該記憶手段に記憶された当該第６の用紙に関する調整用変換係数群と第７の前記用紙に関する前記調整用変換係数群とを対応付ける前記対応付け係数群と、当該記憶手段に記憶された当該第７の用紙に関する調整用変換係数群と当該第５の用紙に関する調整用変換係数群とを対応付ける前記対応付け係数群とにより当該更新を行うかの何れか一方の選択を受け付ける受付手段をさらに備えたことを特徴とする請求項１記載の画像処理装置。
【請求項６】
第１の色空間の画像信号に画像処理を行って第２色空間の画像信号を生成する画像処理手段と、
前記画像処理手段により生成された前記第２色空間の画像信号に基づいて記録媒体上に画像を形成する画像形成手段とを有し、
前記画像処理手段は、
前記第１の色空間の画像信号と前記第２色空間の画像信号との対応関係を定める色変換特性を用いて、当該第１の色空間の画像信号を当該第２色空間の画像信号に色変換する色変換手段と、
前記色変換手段にて色変換された前記第２色空間の画像信号を前記色変換特性の変動に応じて調整するための調整用変換係数群が当該第２色空間の画像信号に基づき画像が印刷される用紙の種類毎に設定され、当該調整用変換係数群により当該画像信号を調整する調整手段と、
前記調整手段に設定される前記調整用変換係数群を算出する算出手段と、
前記調整手段に設定される前記用紙の種類毎の前記調整用変換係数群を相互に対応付ける対応付け係数群を記憶する記憶手段と、
前記調整手段に設定される前記用紙の種類毎の調整用変換係数群を、前記算出手段にて算出された一の用紙に関する前記調整用変換係数群と前記記憶手段に記憶された前記対応付け係数群とにより更新する更新手段と
を備えたことを特徴とする画像形成システム。
【請求項７】
前記画像処理手段の前記算出手段は、前記更新手段が前記記憶手段に前記対応付け係数群が記憶されていない第１の前記用紙に関する第１の前記調整用変換係数群を更新する場合に、当該第１の用紙に関する第１の調整用変換係数群に加えて、前記記憶手段に前記対応付け係数群が記憶されている第２の前記用紙に関する第２の前記調整用変換係数群を算出し、
前記画像処理手段は、前記算出手段にて算出された前記第１の調整用変換係数群と前記第２の調整用変換係数群とから、当該第１の調整用変換係数群と当該第２の調整用変換係数群とを相互に対応付ける前記対応付け係数群を算出し、算出した当該対応付け係数群を前記記憶手段に記憶する対応付け係数群算出手段をさらに備えたことを特徴とする請求項６記載の画像形成システム。
【請求項８】
前記画像形成手段に対し前記用紙に予め定めた色見本群の印刷を指示する印刷指示手段をさらに備え、
前記印刷指示手段は、前記画像処理手段の前記対応付け係数群算出手段が前記第１の調整用変換係数群と前記第２の調整用変換係数群とを相互に対応付ける対応付け係数群を算出する場合に、前記第１の用紙に加えて前記第２の用紙に対して前記色見本群を印刷するように前記画像形成手段に指示することを特徴とする請求項７記載の画像形成システム。
【請求項９】
前記画像処理手段の前記更新手段は、第３の前記用紙に関する前記調整用変換係数群を更新する場合に、前記算出手段にて算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項６記載の画像形成システム。
【請求項１０】
前記画像処理手段の前記更新手段が第３の前記用紙に関する前記調整用変換係数群の更新を行う場合に、前記算出手段にて算出された第４の前記用紙に関する前記調整用変換係数群と、前記記憶手段に記憶された当該第４の用紙に関する調整用変換係数群と当該第３の用紙に関する調整用変換係数群とを対応付ける前記対応付け係数群とにより当該更新を行うか、当該算出手段にて算出された当該第４の用紙に関する調整用変換係数群と、当該記憶手段に記憶された当該第４の用紙に関する調整用変換係数群と第５の前記用紙に関する前記調整用変換係数群とを対応付ける前記対応付け係数群と、当該記憶手段に記憶された当該第５の用紙に関する調整用変換係数群と当該第３の用紙に関する調整用変換係数群とを対応付ける前記対応付け係数群とにより当該更新を行うかの何れか一方の選択を受け付ける受付手段をさらに備えたことを特徴とする請求項６記載の画像形成システム。
【請求項１１】
コンピュータに、
第１の色空間の画像信号と第２色空間の画像信号との対応関係を定めた色変換特性によって変換された当該第２色空間の画像信号について、当該第２色空間の画像信号に基づき画像が印刷される用紙の種類毎に設定され、当該色変換特性の変動に応じて調整するための調整用変換係数群による調整を施す機能と、
前記調整用変換係数群を算出する機能と、
前記用紙の種類毎の調整用変換係数群を、算出された一の用紙に関する前記調整用変換係数群と、記憶手段に記憶された当該用紙の種類毎の調整用変換係数群を相互に対応付ける対応付け係数群とにより更新する機能と
を実現させることを特徴するプログラム。
【請求項１２】
算出された第１の前記用紙に関する第１の前記調整用変換係数群と、前記記憶手段に前記対応付け係数群が記憶されている第２の前記用紙に関する第２の前記調整用変換係数群とから、当該第１の調整用変換係数群と当該第２の調整用変換係数群とを相互に対応付ける前記対応付け係数群を算出する機能をさらに実現させることを特徴する請求項１１記載のプログラム。
【請求項１３】
前記用紙の種類毎の調整用変換係数群を更新する機能は、第３の前記用紙に関する前記調整用変換係数群を更新する場合に、算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項１１記載のプログラム。
【請求項１４】
第３の前記用紙に関する前記調整用変換係数群の更新を行う場合に、算出された第４の前記用紙に関する前記調整用変換係数群と、前記記憶手段に記憶された当該第４の用紙に関する調整用変換係数群と当該第３の用紙に関する調整用変換係数群とを対応付ける前記対応付け係数群とにより当該更新を行うか、算出された当該第４の用紙に関する調整用変換係数群と、当該記憶手段に記憶された当該第４の用紙に関する調整用変換係数群と第５の前記用紙に関する前記調整用変換係数群とを対応付ける前記対応付け係数群と、当該記憶手段に記憶された当該第５の用紙に関する調整用変換係数群と当該第３の用紙に関する調整用変換係数群とを対応付ける前記対応付け係数群とにより当該更新を行うかの何れか一方の選択を受け付ける機能をさらに実現させることを特徴する請求項１１記載のプログラム。
【発明の詳細な説明】
【技術分野】
【０００１】
本発明は、画像処理装置、画像形成システム、およびプログラムに関する。
【背景技術】
【０００２】
カラープリンタ等の画像形成装置においては、一般に、入力される画像信号の色空間（入力色空間）と画像形成処理に用いる色空間（出力色空間）とが異なるため、色空間を変換する色変換処理が行われる。この色変換処理は、通常、入力色空間の色と出力色空間の色とを予め対応付けておき、その対応関係（テーブル）に基づいて行われる。このテーブルは、使用される用紙の種類によって異なるとともに、例えば経時的な要因等によって変動する。そのため、使用される用紙の種類毎にテーブルの調整（キャリブレーション）が必要になる。
例えば、特許文献１には、出力画像の画質変動を補正するためのキャリブレーション機能を有する画像形成装置において、工場出荷時に、第１のテストパターンを出力し、この第１のテストパターンを外部機器にて測定及び演算し、この演算結果を記憶させ、この記憶データに基づいて第２のテストパターンを推奨用紙毎に出力し、この第２のテストパターンを推奨用紙毎にリファレンスチャートとして付属することによって、推奨用紙毎のキャリブレーションを精度良く実現する技術が記載されている。
【先行技術文献】
【特許文献】
【０００３】
【特許文献１】特開２００１−９４８０９号公報
【発明の概要】
【発明が解決しようとする課題】
【０００４】
ここで一般に、入力色空間の画像信号と出力色空間の画像信号との対応関係に施す調整を、使用する用紙の種類毎に行うとすると、調整処理に要する手間が多大となる。その一方で、他の用紙について行った調整を代用すると、調整の精度が低下する。
本発明は、入力色空間の画像信号と出力色空間の画像信号との対応関係に施す調整をより効率的に実施することを目的とする。
【課題を解決するための手段】
【０００５】
請求項１に記載の発明は、第１の色空間の画像信号と第２色空間の画像信号との対応関係を定める色変換特性を用いて、当該第１の色空間の画像信号を当該第２色空間の画像信号に色変換する色変換手段と、前記色変換手段にて色変換された前記第２色空間の画像信号を前記色変換特性の変動に応じて調整するための調整用変換係数群が当該第２色空間の画像信号に基づき画像が印刷される用紙の種類毎に設定され、当該調整用変換係数群により当該画像信号を調整する調整手段と、前記調整手段に設定される前記調整用変換係数群を算出する算出手段と、前記調整手段に設定される前記用紙の種類毎の前記調整用変換係数群を相互に対応付ける対応付け係数群を記憶する記憶手段と、前記調整手段に設定される前記用紙の種類毎の調整用変換係数群を、前記算出手段にて算出された一の用紙に関する前記調整用変換係数群と前記記憶手段に記憶された前記対応付け係数群とにより更新する更新手段とを備えたことを特徴とする画像処理装置である。
【０００６】
請求項２に記載の発明は、前記算出手段は、前記更新手段が前記記憶手段に前記対応付け係数群が記憶されていない第１の前記用紙に関する第１の前記調整用変換係数群を更新する場合に、当該第１の用紙に関する第１の調整用変換係数群に加えて、前記記憶手段に前記対応付け係数群が記憶されている第２の前記用紙に関する第２の前記調整用変換係数群を算出し、前記算出手段にて算出された前記第１の調整用変換係数群と前記第２の調整用変換係数群とから、当該第１の調整用変換係数群と当該第２の調整用変換係数群とを相互に対応付ける前記対応付け係数群を算出し、算出した当該対応付け係数群を前記記憶手段に記憶する対応付け係数群算出手段をさらに備えたことを特徴とする請求項１記載の画像処理装置である。
請求項３に記載の発明は、前記用紙に予め定めた色見本群の印刷を指示する印刷指示手段をさらに備え、前記印刷指示手段は、前記対応付け係数群算出手段が前記第１の調整用変換係数群と前記第２の調整用変換係数群とを相互に対応付ける対応付け係数群を算出する場合に、前記第１の用紙に加えて前記第２の用紙に対して前記色見本群を印刷するように指示することを特徴とする請求項２記載の画像処理装置である。
請求項４に記載の発明は、前記更新手段は、第３の前記用紙に関する前記調整用変換係数群を更新する場合に、前記算出手段にて算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項１記載の画像処理装置である。
請求項５に記載の発明は、前記更新手段が第５の前記用紙に関する前記調整用変換係数群の更新を行う場合に、前記算出手段にて算出された第６の前記用紙に関する前記調整用変換係数群と、前記記憶手段に記憶された当該第６の用紙に関する調整用変換係数群と当該第５の用紙に関する調整用変換係数群とを対応付ける前記対応付け係数群とにより当該更新を行うか、当該算出手段にて算出された当該第６の用紙に関する調整用変換係数群と、当該記憶手段に記憶された当該第６の用紙に関する調整用変換係数群と第７の前記用紙に関する前記調整用変換係数群とを対応付ける前記対応付け係数群と、当該記憶手段に記憶された当該第７の用紙に関する調整用変換係数群と当該第５の用紙に関する調整用変換係数群とを対応付ける前記対応付け係数群とにより当該更新を行うかの何れか一方の選択を受け付ける受付手段をさらに備えたことを特徴とする請求項１記載の画像処理装置である。
【０００７】
請求項６に記載の発明は、第１の色空間の画像信号に画像処理を行って第２色空間の画像信号を生成する画像処理手段と、前記画像処理手段により生成された前記第２色空間の画像信号に基づいて記録媒体上に画像を形成する画像形成手段とを有し、前記画像処理手段は、前記第１の色空間の画像信号と前記第２色空間の画像信号との対応関係を定める色変換特性を用いて、当該第１の色空間の画像信号を当該第２色空間の画像信号に色変換する色変換手段と、前記色変換手段にて色変換された前記第２色空間の画像信号を前記色変換特性の変動に応じて調整するための調整用変換係数群が当該第２色空間の画像信号に基づき画像が印刷される用紙の種類毎に設定され、当該調整用変換係数群により当該画像信号を調整する調整手段と、前記調整手段に設定される前記調整用変換係数群を算出する算出手段と、前記調整手段に設定される前記用紙の種類毎の前記調整用変換係数群を相互に対応付ける対応付け係数群を記憶する記憶手段と、前記調整手段に設定される前記用紙の種類毎の調整用変換係数群を、前記算出手段にて算出された一の用紙に関する前記調整用変換係数群と前記記憶手段に記憶された前記対応付け係数群とにより更新する更新手段とを備えたことを特徴とする画像形成システムである。
【０００８】
請求項７に記載の発明は、前記画像処理手段の前記算出手段は、前記更新手段が前記記憶手段に前記対応付け係数群が記憶されていない第１の前記用紙に関する第１の前記調整用変換係数群を更新する場合に、当該第１の用紙に関する第１の調整用変換係数群に加えて、前記記憶手段に前記対応付け係数群が記憶されている第２の前記用紙に関する第２の前記調整用変換係数群を算出し、前記画像処理手段は、前記算出手段にて算出された前記第１の調整用変換係数群と前記第２の調整用変換係数群とから、当該第１の調整用変換係数群と当該第２の調整用変換係数群とを相互に対応付ける前記対応付け係数群を算出し、算出した当該対応付け係数群を前記記憶手段に記憶する対応付け係数群算出手段をさらに備えたことを特徴とする請求項６記載の画像形成システムである。
請求項８に記載の発明は、前記画像形成手段に対し前記用紙に予め定めた色見本群の印刷を指示する印刷指示手段をさらに備え、前記印刷指示手段は、前記画像処理手段の前記対応付け係数群算出手段が前記第１の調整用変換係数群と前記第２の調整用変換係数群とを相互に対応付ける対応付け係数群を算出する場合に、前記第１の用紙に加えて前記第２の用紙に対して前記色見本群を印刷するように前記画像形成手段に指示することを特徴とする請求項７記載の画像形成システムである。
請求項９に記載の発明は、前記画像処理手段の前記更新手段は、第３の前記用紙に関する前記調整用変換係数群を更新する場合に、前記算出手段にて算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項６記載の画像形成システムである。
請求項１０に記載の発明は、前記画像処理手段の前記更新手段が第３の前記用紙に関する前記調整用変換係数群の更新を行う場合に、前記算出手段にて算出された第４の前記用紙に関する前記調整用変換係数群と、前記記憶手段に記憶された当該第４の用紙に関する調整用変換係数群と当該第３の用紙に関する調整用変換係数群とを対応付ける前記対応付け係数群とにより当該更新を行うか、当該算出手段にて算出された当該第４の用紙に関する調整用変換係数群と、当該記憶手段に記憶された当該第４の用紙に関する調整用変換係数群と第５の前記用紙に関する前記調整用変換係数群とを対応付ける前記対応付け係数群と、当該記憶手段に記憶された当該第５の用紙に関する調整用変換係数群と当該第３の用紙に関する調整用変換係数群とを対応付ける前記対応付け係数群とにより当該更新を行うかの何れか一方の選択を受け付ける受付手段をさらに備えたことを特徴とする請求項６記載の画像形成システムである。
【０００９】
請求項１１に記載の発明は、コンピュータに、第１の色空間の画像信号と第２色空間の画像信号との対応関係を定めた色変換特性によって変換された当該第２色空間の画像信号について、当該第２色空間の画像信号に基づき画像が印刷される用紙の種類毎に設定され、当該色変換特性の変動に応じて調整するための調整用変換係数群による調整を施す機能と、前記調整用変換係数群を算出する機能と、前記用紙の種類毎の調整用変換係数群を、算出された一の用紙に関する前記調整用変換係数群と、記憶手段に記憶された当該用紙の種類毎の調整用変換係数群を相互に対応付ける対応付け係数群とにより更新する機能とを実現させることを特徴するプログラムである。
【００１０】
請求項１２に記載の発明は、算出された第１の前記用紙に関する第１の前記調整用変換係数群と、前記記憶手段に前記対応付け係数群が記憶されている第２の前記用紙に関する第２の前記調整用変換係数群とから、当該第１の調整用変換係数群と当該第２の調整用変換係数群とを相互に対応付ける前記対応付け係数群を算出する機能をさらに実現させることを特徴する請求項１１記載のプログラムである。
請求項１３に記載の発明は、前記用紙の種類毎の調整用変換係数群を更新する機能は、第３の前記用紙に関する前記調整用変換係数群を更新する場合に、算出された当該第３の用紙に関する調整用変換係数群と、前記記憶手段に記憶された当該第３の用紙に関する調整用変換係数群と第４の前記用紙に関する前記調整用変換係数群とを対応付ける前記対応付け係数群とにより、当該第３の用紙に関する調整用変換係数群と当該第４の用紙に関する調整用変換係数群とを更新することを特徴とする請求項１１記載のプログラムである。
請求項１４に記載の発明は、第３の前記用紙に関する前記調整用変換係数群の更新を行う場合に、算出された第４の前記用紙に関する前記調整用変換係数群と、前記記憶手段に記憶された当該第４の用紙に関する調整用変換係数群と当該第３の用紙に関する調整用変換係数群とを対応付ける前記対応付け係数群とにより当該更新を行うか、算出された当該第４の用紙に関する調整用変換係数群と、当該記憶手段に記憶された当該第４の用紙に関する調整用変換係数群と第５の前記用紙に関する前記調整用変換係数群とを対応付ける前記対応付け係数群と、当該記憶手段に記憶された当該第５の用紙に関する調整用変換係数群と当該第３の用紙に関する調整用変換係数群とを対応付ける前記対応付け係数群とにより当該更新を行うかの何れか一方の選択を受け付ける機能をさらに実現させることを特徴する請求項１１記載のプログラムである。
【発明の効果】
【００１１】
請求項１の発明によれば、本発明を実施しない場合に比較して、入力色空間の画像信号と出力色空間の画像信号との対応関係に施す調整をより効率的に実施することができる。
請求項２の発明によれば、本発明を実施しない場合に比較して、新たに使用される用紙に関する調整用変換係数群に関する更新処理をより簡便に行うことができる。
請求項３の発明によれば、新たに使用される用紙に関する調整用変換係数群と、既に算出されている他の用紙に関する調整用変換係数群とを対応付けることができる。
請求項４の発明によれば、本発明を実施しない場合に比較して、一の用紙に関する調整用変換係数群以外の他の用紙に関する調整用変換係数群の更新処理を簡便に行うことができ、また、他の調整用変換係数群を代用して使用する場合よりも高い精度の色調整を行うことができる。
請求項５の発明によれば、２つの異なる種類の調整用変換係数群を相互に対応付ける対応付け係数群が記憶されている場合には、それを用いて他の用紙に関する調整用変換係数群の更新処理を行うことで、本発明を実施しない場合に比較して、更新処理の精度を高めることできる。
【００１２】
請求項６の発明によれば、本発明を実施しない場合に比較して、入力色空間の画像信号と出力色空間の画像信号との対応関係に施す調整をより効率的に実施することができる。
請求項７の発明によれば、本発明を実施しない場合に比較して、新たに使用される用紙に関する調整用変換係数群に関する更新処理をより簡便に行うことができる。
請求項８の発明によれば、新たに使用される用紙に関する調整用変換係数群と、既に算出されている他の用紙に関する調整用変換係数群とを対応付けることができる。
請求項９の発明によれば、本発明を実施しない場合に比較して、一の用紙に関する調整用変換係数群以外の他の用紙に関する調整用変換係数群の更新処理を簡便に行うことができ、また、他の調整用変換係数群を代用して使用する場合よりも高い精度の色調整を行うことができる。
請求項１０の発明によれば、２つの異なる種類の調整用変換係数群を相互に対応付ける対応付け係数群が記憶されている場合には、それを用いて他の用紙に関する調整用変換係数群の更新処理を行うことで、本発明を実施しない場合に比較して、更新処理の精度を高めることできる。
【００１３】
請求項１１の発明によれば、本発明を実施しない場合に比較して、入力色空間の画像信号と出力色空間の画像信号との対応関係に施す調整をより効率的に実施することができる。
請求項１２の発明によれば、本発明を実施しない場合に比較して、新たに使用される用紙に関する調整用変換係数群に関する更新処理をより簡便に行うことができる。
請求項１３の発明によれば、本発明を実施しない場合に比較して、一の用紙に関する調整用変換係数群以外の他の用紙に関する調整用変換係数群の更新処理を簡便に行うことができ、また、他の調整用変換係数群を代用して使用する場合よりも高い精度の色調整を行うことができる。
請求項１４の発明によれば、２つの異なる種類の調整用変換係数群を相互に対応付ける対応付け係数群が記憶されている場合には、それを用いて他の用紙に関する調整用変換係数群の更新処理を行うことで、本発明を実施しない場合に比較して、更新処理の精度を高めることできる。
【図面の簡単な説明】
【００１４】
【図１】本実施の形態が適用される画像処理部を備えた画像形成システムの構成例を示す図である。
【図２】画像処理部の内部構成を示すブロック図である。
【図３】色調整処理部の構成を示すブロック図である。
【図４】色差を介した用紙ＡでのＣ成分についての調整値と用紙ＢでのＣ成分についての調整値との対応付けを説明する図である。
【図５】Ｃ成分についての用紙Ａに関する調整値と用紙Ｂに関する調整値との対応関係を求めた補正カーブを例示した図である。
【図６−１】色調整処理部にて行われるキャリブレーションプロファイルの更新処理の内容の一例を示したフローチャートである。
【図６−２】色調整処理部にて行われるキャリブレーションプロファイルの更新処理の内容の一例を示したフローチャートである。
【発明を実施するための形態】
【００１５】
以下、添付図面を参照して、本発明の実施の形態について詳細に説明する。
＜画像形成装置の全体説明＞
図１は、本実施の形態が適用される画像処理部１０を備えた画像形成システム１の構成例を示す図である。
図１に示すように、この画像形成システム１は、例えばデジタルカラープリンタであって、ＰＣ（Personal Computer）３や画像読取装置４等の外部機器から入力された画像データに対し画像処理を施す画像処理手段（画像処理装置）の一例としての画像処理部１０、画像形成システム１全体の動作を制御するシステム制御部３０を備えている。また、画像処理部１０やシステム制御部３０にて実行されるオペレーティングシステム（ＯＳ）やアプリケーションソフト等の各種のプログラムが記憶される外部記憶装置５０、各色成分の画像データ（画像信号）に応じて画像形成を行う画像形成手段の一例としての画像形成機能部４０を備えている。
ここで、画像形成機能部４０は、例えばＣ（シアン）色,Ｍ（マゼンタ）色,Ｙ（イエロー）色,Ｋ（ブラック）色の色材を用いる電子写真方式やインクジェット方式等の画像形成エンジンが用いられる。また、画像形成機能部４０は、それぞれ異なる種類の記録材（用紙）を収容する複数の用紙収容部４１,４２,４３を備え、ユーザ（例えば、画像形成システム１の使用者や管理者等）により何れかの用紙収容部４１,４２,４３に収容された用紙が選択され、画像形成が行われる。
さらに、画像形成システム１は、ユーザからの指示入力を受け付ける受付手段の一例としてのユーザインタフェース（ＵＩ）部６０、ユーザへの各種情報の通知を行う通知手段の一例としてのディスプレイ７０を備えている。
【００１６】
＜画像処理部の説明＞
画像処理部１０は、例えばＰＣ３や画像読取装置４等の外部機器から画像データの入力を受け付ける画像データ受付手段の一例としての入力インターフェース１１、入力インターフェース１１にて受け付けた画像データを一時記憶する入力バッファ１２、ＰＤＬ（Page Description Language：ページ記述言語）形式の画像データを解析して中間データを生成するＰＤＬ解析部１３を備えている。さらに、ＰＤＬ解析部１３にて生成された中間データを画素の並びで表現された印刷用の画像データ（ラスタ画像データ等）に展開（レンダリング）するレンダリング処理部１４、レンダリング処理部１４でのレンダリング処理に際して作業領域として使用される中間バッファ１５を備えている。
また、画像処理部１０は、レンダリングされた画像データを印刷処理に適した表色系の画像データ（例えば、ＣＭＹＫ色空間の画像データ）に色変換処理（色補正処理）する色変換手段の一例としての色変換処理部１６、色変換処理部１６にて色変換処理された画像データに対する色調整処理（キャリブレーション）を行って色再現性の経時変化等を補償する色調整処理部２０、色変換および色調整された画像データに対してスクリーン処理を行うスクリーン処理部１７を備えている。
【００１７】
画像処理部１０では、入力インターフェース１１にて例えばＰＣ３や画像読取装置４等から出力された画像データを受け付け、画像データを入力バッファ１２に送る。入力バッファ１２は、入力インターフェース１１から取得した画像データを一時的に記憶し、ＰＤＬ解析部１３に対して出力する。ＰＤＬ解析部１３は、入力バッファ１２から画像データを取得し、取得した画像データから例えば１ページ分の中間データを生成する。そして、生成した中間データをレンダリング処理部１４に対して出力する。レンダリング処理部１４は、ＰＤＬ解析部１３から取得した中間データに対するレンダリング処理を行う。そして、このレンダリングされたラスタ画像データ（画素群が配列された画像データ）を色変換処理部１６に出力する。
【００１８】
色変換処理部１６は、取得したラスタ画像データを、画像形成機能部４０での印刷処理に用いられる出力色空間（第２色空間：例えば、ＣＹＭＫ色空間）の色信号に変換する。さらに、色調整処理部２０は、出力色空間の色信号に変換されたラスタ画像データについて色調整処理を行う。そして、色変換および色調整されたラスタ画像データは、スクリーン処理部１７に出力される。
スクリーン処理部１７は、色調整処理部２０から取得した多値のラスタ画像データに対してスクリーン処理を行い、２値化画像データ（１ビットの画像データ）を生成する。すなわち、濃度階調を有する多値の画像情報であるラスタ画像データを、網点と呼ばれる着色ドットの大きさによって擬似的に中間調画像の濃度を表わす２値化画像データを生成する。そして、スクリーン処理部１７は、生成した２値化画像データを画像形成機能部４０に対して出力する。
【００１９】
なお、画像処理部１０は、システム制御部３０や画像形成機能部４０等と一体的に構成しても、システム制御部３０や画像形成機能部４０等と別体に構成してもよい。このような別体構成では、画像処理部１０とシステム制御部３０や画像形成機能部４０等とは、例えば、ＬＡＮ（Local Area Network）、ＷＡＮ（Wide Area Network）、インターネット等といったネットワークを介して接続される。ネットワークを構成する通信回線としては、電話回線や衛星通信回線（例えば、デジタル衛星放送における空間伝送路）等を含んでもよい。
【００２０】
次の図２は、画像処理部１０の内部構成を示すブロック図である。図２に示したように、画像処理部１０は、画像データを処理するに際して、予め定められた処理プログラムに従ってデジタル演算処理を実行するＣＰＵ１０１、ＣＰＵ１０１の作業用メモリ等として用いられるＲＡＭ１０２、ＣＰＵ１０１での処理に使用される各種設定値等が格納されるＲＯＭ１０３、書き換え可能で電源供給が途絶えた場合にもデータを保持できる、電池によりバックアップされたフラッシュメモリ等の不揮発性メモリ（ＮＶＭ）１０４、画像処理部１０に接続されるＰＣ３や測色装置５等の外部装置、システム制御部３０や画像形成機能部４０等の各構成部との信号の入出力を制御するインターフェース（Ｉ/Ｆ）部１０５を備えている。
そして、ＣＰＵ１０１が、処理プログラムを外部記憶装置５０から主記憶装置（ＲＡＭ１０２）に読み込み、ＰＤＬ解析部１３、レンダリング処理部１４、色変換処理部１６、色調整処理部２０、スクリーン処理部１７等の各機能部の機能を実現させる。
【００２１】
なお、この処理プログラムに関するその他の提供形態としては、予めＲＯＭ１０３に格納された状態にて提供され、ＲＡＭ１０２にロードされる形態がある。さらに、ＥＥＰＲＯＭ等の書き換え可能なＲＯＭ１０３を備えている場合には、ＣＰＵ１０１がセッティングされた後に、プログラムだけがＲＯＭ１０３にインストールされ、ＲＡＭ１０２にロードされる形態がある。また、インターネット等のネットワークを介して画像処理部１０にプログラムが伝送され、画像処理部１０のＲＯＭ１０３にインストールされ、ＲＡＭ１０２にロードされる形態がある。さらにまた、ＤＶＤ−ＲＯＭやフラッシュメモリ等の外部記録媒体からＲＡＭ１０２にロードされる形態がある。
【００２２】
＜色調整処理部の説明＞
次に、上記した画像処理部１０に備えられる色調整処理部２０について説明する。
図３は、本実施の形態の色調整処理部２０の構成を示すブロック図である。
図３に示すように、色調整処理部２０は、各種の色見本群（カラーチャート）を測色する測色装置５（図１も参照）から、測色装置５が生成した測色データを取得する測色データ入力部２１、測色データ入力部２１が取得した測色データを記憶する測色データ記憶部２３、画像形成システム１にて色変換処理を行う際に目標とする色座標データ対（以下、「標準データ」）を記憶する標準データ記憶部２２、色調整処理部２０の動作を制御する色調整制御部２４を備えている。
【００２３】
測色データ入力部２１が取得する測色データは、例えば、画像形成システム１（画像形成機能部４０）の出力色空間（ＣＭＹＫ色空間）の１次色である各色成分（Ｃ成分,Ｍ成分,Ｙ成分,Ｋ成分）を５％ステップ毎に印刷した８０個のパッチや、各色成分を２０％ステップ毎に混色させて印刷した２次色〜４次色の６２５（＝５４）個のパッチ、白色の１個のパッチ等からなるカラーチャートを測色装置５が測色した、デバイス非依存色空間である例えばＬ＊ａ＊ｂ＊色空間での測色データ（Ｌ＊,ａ＊,ｂ＊）である。
また、標準データ記憶部２２に記憶された標準データは、出力色空間（第２色空間）での色座標値（Ｃ,Ｍ,Ｙ,Ｋ）と、それに対応する入力色空間としてのデバイス非依存色空間である例えばＬ＊ａ＊ｂ＊色空間（第１の色空間）での色座標値（Ｌ＊,ａ＊,ｂ＊）とからなり、画像処理部１０の色変換処理部１６が色変換処理を行う際に目標とする理想的な色変換特性（色変換モデル）を与えるものである。標準データは、デフォルト（標準設定）として例えば工場出荷時に不揮発性メモリ（Nonvolatile Memory）等で構成される標準データ記憶部２２に記憶される。なお、ユーザ自身が、使用する紙種等に対応させて標準データを作成し、例えばＵＩ部６０等を介して標準データ記憶部２２に記憶できるように構成してもよい。
【００２４】
色調整制御部２４は、例えばＵＩ部６０にてユーザが選択した用紙の種類や、画像形成機能部４０にて画像形成された用紙の種類に関する情報（以下、「用紙情報」）をシステム制御部３０から取得して、色調整処理部２０内の各機能部に通知する。
測色データ入力部２１は、色調整制御部２４から用紙情報を取得し、測色装置５が生成した測色データを、取得した用紙情報に基づき用紙の種類に対応付けて測色データ記憶部２３に記憶する。その場合に、測色データ入力部２１は、測色装置５が生成した測色データについて、１次色である各色成分（Ｃ成分,Ｍ成分,Ｙ成分,Ｋ成分）のパッチに関する測色データ（以下、「１次色測色データ」）を、他の２次色〜４次色の測色データと区別して測色データ記憶部２３に記憶する。
【００２５】
＜色調整に用いられるキャリブレーションプロファイルの更新の説明＞
また、色調整処理部２０は、調整用変換係数群算出部２５、更新部２８、調整用変換係数群記憶部５１、色調整部２９を備えている。
調整用変換係数群算出部２５は、算出手段の一例であって、色調整処理部２０がキャリブレーションを行う際に使用する調整用変換係数群（以下、「キャリブレーションプロファイル」）を算出する。そして、調整用変換係数群算出部２５は、算出したキャリブレーションプロファイルを更新部２８に送る。
更新部２８は、算出したキャリブレーションプロファイルを調整用変換係数群記憶部５１に記憶する。さらに、更新部２８は、調整用変換係数群を更新する更新手段の一例であって、調整手段の一例としての色調整部２９に設定されるキャリブレーションプロファイルを新たに算出されたキャリブレーションプロファイルによって更新する。色調整部２９は、キャリブレーションプロファイルを用いて色変換処理部１６にて色変換処理された画像データ（画像信号）に対し色調整処理を行う。
ここで、「調整用変換係数群（キャリブレーションプロファイル）」とは、色変換処理部１６にて色変換されたラスタ画像データ（Ｃ,Ｍ,Ｙ,Ｋ）を「（Ｃ,Ｍ,Ｙ,Ｋ）→（Ｃｍ,Ｍｍ,Ｙｍ,Ｋｍ）」に色調整する多次元ルックアップテーブル（多次元ＬＵＴ（Look-Up Table）：例えば、４次元ＬＵＴ）である。
また、このようなキャリブレーションプロファイルにより調整された後の画像データ（Ｃｍ,Ｍｍ,Ｙｍ,Ｋｍ）を、本明細書では「調整値」とも称することとする。
【００２６】
調整用変換係数群算出部２５は、カラーチャートに形成されたすべてのパッチに関するＬ＊ａ＊ｂ＊色空間での測色データ（Ｌ＊,ａ＊,ｂ＊）を測色データ記憶部２３から取得する。さらに、カラーチャートに形成されたパッチ各々の実データ（Ｃ,Ｍ,Ｙ,Ｋ）と、取得した測色データ（Ｌ＊,ａ＊,ｂ＊）とを対応付けて組み合わせた実データ対を生成する。そして、この実データ（Ｃ,Ｍ,Ｙ,Ｋ）と測色データ（Ｌ＊,ａ＊,ｂ＊）とからなる実データ対を用いて、現在の画像形成機能部４０における色再現性を表す入力色空間（Ｌ＊ａ＊ｂ＊色空間）から出力色空間（ＣＭＹＫ色空間）への色変換特性（以下、「逆色変換特性」）を算出する。
【００２７】
さらに、調整用変換係数群算出部２５は、標準データ記憶部２２から標準データを取得する。そして、調整用変換係数群算出部２５は、画像形成機能部４０が印刷した色座標値（Ｃ,Ｍ,Ｙ,Ｋ）を得るために入力されるべき色座標値（Ｌ＊,ａ＊,ｂ＊）を予想する、出力色空間（ＣＭＹＫ色空間）から入力色空間（Ｌ＊ａ＊ｂ＊色空間）への色変換特性（以下、「順色変換特性」）を算出する。
ここで、逆色変換特性や順色変換特性を算出するに際しては、例えば、標準データ（色座標データ対）に対して加重(重み)を施し回帰分析等の統計処理する方法、標準データについて単純に加重平均を行って補間処理する方法、標準データを学習したニューラルネットワークを用いて統計処理する方法等が用いられる。
【００２８】
そして、調整用変換係数群算出部２５は、ＣＭＹＫ色空間の各色成分（Ｃ成分,Ｍ成分,Ｙ成分,Ｋ成分）を予め定めたステップ毎（例えば、１０％毎）に区切った格子点（Ｃ,Ｍ,Ｙ,Ｋ）を作成し、順色変換特性を用いて各格子点をＬ＊ａ＊ｂ＊色空間の色座標値（Ｌ＊,ａ＊,ｂ＊）に変換する。さらに、逆色変換特性を用いて、Ｌ＊ａ＊ｂ＊色空間の色座標値（Ｌ＊,ａ＊,ｂ＊）をＣＭＹＫ色空間の色座標値（Ｃｍ,Ｍｍ,Ｙｍ,Ｋｍ）に変換する。
この場合に、３次元であるＬ＊ａ＊ｂ＊色空間の色座標値（Ｌ＊,ａ＊,ｂ＊）から４次元であるＣＭＹＫ色空間の色座標値（Ｃｍ,Ｍｍ,Ｙｍ,Ｋｍ）への変換に際しては、既知数不足となるため、一意に解くことはできない。そこで、この場合は、例えば、「単色は単色に変換される」、「２次色は２次色に変換される」とする拘束条件の下で演算する。
【００２９】
それにより、調整用変換係数群算出部２５は、格子点（Ｃ,Ｍ,Ｙ,Ｋ）と、順色変換特性および逆色変換特性を用いて算出した色座標値（Ｃｍ,Ｍｍ,Ｙｍ,Ｋｍ）との組み合わせからなるキャリブレーションプロファイルを作成する。キャリブレーションプロファイルは、例えば１０％毎のステップで区切った格子点（Ｃ,Ｍ,Ｙ,Ｋ）を用いた場合には、全体として１１４個のデータ対により構成されることとなる。
調整用変換係数群算出部２５は、画像形成システム１にて例えば使用頻度の高い用紙Ａ,Ｂ,Ｃそれぞれについて、キャリブレーションプロファイルを予め算出しておく。この場合に、例えば、用紙Ａ,Ｂ,Ｃそれぞれを画像形成機能部４０の用紙収容部４１,４２,４３各々に収容しておき、画像形成機能部４０による用紙Ａ,Ｂ,Ｃそれぞれへのカラーチャートの印刷を連続して行う。画像形成機能部４０の状態や温湿度環境等といったカラーチャートの印刷条件の同一性を担保し、それに基づき算出するキャリブレーションプロファイルの客観性を高めるためである。なお、用紙Ａ,Ｂ,Ｃ以外の用紙に関するキャリブレーションプロファイルをさらに算出しておく場合にも、同様に、用紙収容部４１,４２,４３の何れかに収容された用紙を直ちに入れ替えて、カラーチャートの印刷に時間的な間隔（タイムラグ）が生じないようにして行う。
【００３０】
そして、調整用変換係数群算出部２５は、色調整制御部２４から用紙情報を取得し、算出したキャリブレーションプロファイル（４次元ＬＵＴ）を、取得した用紙情報に基づき用紙の種類（用紙Ａ,Ｂ,Ｃの名称等）に対応付けて更新部２８に出力する。
更新部２８は、調整用変換係数群算出部２５が作成したキャリブレーションプロファイルを用紙の種類に対応付けて調整用変換係数群記憶部５１に記憶する。調整用変換係数群記憶部５１では、調整用変換係数群算出部２５が新たに算出したキャリブレーションプロファイルによる更新や、後段で説明する「用紙間変換係数群」を用いた更新が行われながら、用紙の種類に対応付けられたキャリブレーションプロファイルが保持される。また、更新部２８は、必要に応じて、調整用変換係数群記憶部５１からキャリブレーションプロファイルを読み出し、色調整部２９に設定されているキャリブレーションプロファイルを書き換える（更新する）。
【００３１】
＜用紙毎に算出されたキャリブレーションプロファイル相互の対応付けの説明＞
次に、色調整処理部２０は、用紙間変換係数群算出部２６、用紙間変換係数群記憶部２７を備えている。
用紙間変換係数群算出部２６は、異なる種類の用紙毎に算出されたキャリブレーションプロファイルをそれぞれ相互に対応付ける対応付け係数群（以下、「用紙間変換係数群」）を算出する。例えば、用紙Ａを「標準紙」として設定した場合に、用紙Ａに関するキャリブレーションプロファイルと用紙Ｂに関するキャリブレーションプロファイルとを対応付ける用紙間変換係数群、用紙Ａに関するキャリブレーションプロファイルと用紙Ｃに関するキャリブレーションプロファイルとを対応付ける用紙間変換係数群といったように、標準紙（用紙Ａ）を中心として、それぞれの用紙に関するキャリブレーションプロファイルを相互に対応付ける用紙間変換係数群を算出する。ここでの「標準紙」とは、各種の用紙のキャリブレーションプロファイルを結びつける中心となる用紙である。
そして、用紙間変換係数群記憶部２７は、対応付け係数群を記憶する記憶手段の一例であって、用紙間変換係数群算出部２６にて算出された、種類の異なる２つの用紙に関するキャリブレーションプロファイルを相互に対応付ける用紙間変換係数群を記憶する。用紙間変換係数群記憶部２７には、主に、標準紙に関するキャリブレーションプロファイルとそれ以外の用紙に関するキャリブレーションプロファイルとを相互に対応付ける用紙間変換係数群が記憶される。
【００３２】
ここで、用紙間変換係数群の算出方法を、用紙Ａ（標準紙）に関するキャリブレーションプロファイルと用紙Ｂに関するキャリブレーションプロファイルとを対応付ける場合を例に挙げて説明する。
用紙間変換係数群算出部２６は、まず、色調整制御部２４から用紙情報を取得し、対応付けの対象となる用紙が標準紙（用紙Ａ）と用紙Ｂであることを認識する。さらに、用紙間変換係数群算出部２６は、測色データ記憶部２３から用紙Ａに関する１次色測色データ（ＬＡ＊,ａＡ＊,ｂＡ＊）と、用紙Ｂに関する１次色測色データ（ＬＢ＊,ａＢ＊,ｂＢ＊）とを取得する。
そして、用紙間変換係数群算出部２６は、用紙Ａに関する１次色測色データ（ＬＡ＊,ａＡ＊,ｂＡ＊）における基準紙白（Ｌ０＊,ａ０＊,ｂ０＊）からの色差ＤＡと、用紙Ｂに関する１次色測色データ（ＬＢ＊,ａＢ＊,ｂＢ＊）における基準紙白（Ｌ０＊,ａ０＊,ｂ０＊）からの色差ＤＢとを算出する。色差ＤＡ,ＤＢは、Ｌ＊ａ＊ｂ＊色空間でのそれぞれ１次色測色データ（ＬＡ＊,ａＡ＊,ｂＡ＊）および１次色測色データ（ＬＢ＊,ａＢ＊,ｂＢ＊）と、基準紙白（Ｌ０＊,ａ０＊,ｂ０＊）とのそれぞれのユークリッド距離（１次元の値）である。ここでの基準紙白（Ｌ０＊,ａ０＊,ｂ０＊）は、例えば標準紙である用紙Ａの紙白の測色値である。
【００３３】
さらに、用紙間変換係数群算出部２６は、算出した色差ＤＡおよび色差ＤＢと、１次色パッチ（各色成分の単色パッチ）各々を生成した際の実データ（Ｃ,０,０,０）,（０,Ｍ,０,０）,（０,０,Ｙ,０）,（０,０,０,Ｋ）とを対応付けたデータ対を作成する。すなわち、用紙Ａに関する１次色測色データに関してのデータ対（ＤＡ,Ｃ）,（ＤＡ,Ｍ）,（ＤＡ,Ｙ）,（ＤＡ,Ｋ）と、用紙Ｂに関する１次色測色データに関してのデータ対（ＤＢ,Ｃ）,（ＤＢ,Ｍ）,（ＤＢ,Ｙ）,（ＤＢ,Ｋ）とを作成する。ここでのＣ,Ｍ,Ｙ,Ｋは、１次色パッチ各々を印刷する際に用いた実データの各色成分値である。
【００３４】
そして、用紙間変換係数群算出部２６は、用紙Ａに関してのデータ対（ＤＡ,Ｃ）,（ＤＡ,Ｍ）,（ＤＡ,Ｙ）,（ＤＡ,Ｋ）と、用紙Ｂに関してのデータ対（ＤＢ,Ｃ）,（ＤＢ,Ｍ）,（ＤＢ,Ｙ）,（ＤＢ,Ｋ）とから、各色成分（１次色）毎に、用紙Ａのキャリブレーションプロファイルにおける調整値（ＣｍＡ,ＭｍＡ,ＹｍＡ,ＫｍＡ）と、用紙Ｂのキャリブレーションプロファイルにおける調整値（ＣｍＢ,ＭｍＢ,ＹｍＢ,ＫｍＢ）とのそれぞれの対応関係を示す補正カーブを算出する。すなわち、パッチ各々での実データＣ,Ｍ,Ｙ,Ｋは同一であるが、用紙Ａに関する１次色測色データと用紙Ｂに関する１次色測色データとは異なる値を有するので、パッチ各々についての色差ＤＡと色差ＤＢとは異なる値を持つ。そこで、１次元の値である色差ＤＡ,ＤＢを介してパッチ各々に関する実データＣ,Ｍ,Ｙ,Ｋを対応付ければ、用紙Ａでの調整値（ＣｍＡ,ＭｍＡ,ＹｍＡ,ＫｍＡ）と用紙Ｂでの調整値（ＣｍＢ,ＭｍＢ,ＹｍＢ,ＫｍＢ）とがそれぞれ対応付けられる。そして、対応付けられた用紙Ａでの調整値と用紙Ｂでの調整値とについて、各色成分（１次色）毎に、それぞれ補間演算や突き当て処理等を用いて補正カーブ（１次元ＬＵＴ）を算出する。
【００３５】
例えば、Ｃ色成分について、用紙Ａに関してのデータ対（ＤＡ,Ｃ）と用紙Ｂに関してのデータ対（ＤＢ,Ｃ）とから、用紙ＡでのＣ座標値ＣＡ１と同じ色差（ＤＡ１＝ＤＢ１）となる用紙ＢでのＣ座標値ＣＢ１を求めることで、用紙Ａに関する調整値ＣｍＡを用紙Ｂに関する調整値ＣｍＢに対応付ける１次元ＬＵＴ（用紙Ａ→用紙Ｂ変換係数群）が作成できる。同様に、用紙ＢでのＣ座標値ＣＢ２と同じ色差（ＤＢ２＝ＤＡ２）となる用紙ＡでのＣ座標値ＣＡ２を求めることで、用紙Ｂに関する調整値ＣｍＢを用紙Ａに関する調整値ＣｍＡに対応付ける１次元ＬＵＴ（用紙Ｂ→用紙Ａ変換係数群）が作成できる。Ｍ成分,Ｙ成分,Ｋ成分についても同様である。
なお、補正カーブ（１次元ＬＵＴ）を算出するために、ここではＬ＊ａ＊ｂ＊色空間という３次元のデータを、基準紙白からの色差を求めることで１次元のデータにする例を挙げたが、補正カーブ（１次元ＬＵＴ）を算出する方法としてはこれに限定するものではない。例えば、濃度値をＬ＊ａ＊ｂ＊色空間での測色値と同時に測色できる測色装置を使用する場合には、１次元ＬＵＴの算出に関しては測色値（Ｌ＊,ａ＊,ｂ＊）ではなく、濃度値を使うことで対応してもよい。
【００３６】
図４は、色差ＤＡ,ＤＢを介した用紙ＡでのＣ成分についての調整値（ＣｍＡ）と用紙ＢでのＣ成分についての調整値（ＣｍＢ）との対応付けを説明する図である。図４において、横軸は実データ（Ｃ）であり、縦軸は色差ＤＡ,ＤＢである。また、実線は、用紙Ａに関してのデータ対（ＤＡ,Ｃ）から例えば補間演算を用いて算出したカーブであり、破線は、用紙Ｂに関してのデータ対（ＤＢ,Ｃ）から同様に算出したカーブである。例えば、ＤＡ＝ＤＢ＝４２では、用紙ＡではＣ＝６０％であるのに対し、用紙ＢではＣ＝６４％である。したがって、用紙ＡでのＣ座標値ＣＡ＝６０％と用紙ＢでのＣ座標値ＣＢ＝６４％とが対応付けられる。それにより、用紙Ａに関する調整値６０％を用紙Ｂに関する調整値６４％に対応付ける１次元ＬＵＴ（用紙Ａ→用紙Ｂ変換係数群：ｘＢ＝ＦＡ→Ｂ（ｘＡ））が作成できる。同様に、用紙Ｂに関する調整値６４％を用紙Ａに関する調整値６０％に対応付ける１次元ＬＵＴ（用紙Ｂ→用紙Ａ変換係数群：ｘＡ＝ＦＢ→Ａ（ｘＢ））が作成できる。
Ｃ＝０〜１００％の全域においてＤＡ＝ＤＢとなるそれぞれの実データである用紙ＡでのＣ座標値と用紙ＢでのＣ座標値との組み合わせ（ＣＡ,ＣＢ）を求めれば、Ｃ成分についての用紙Ａに関する調整値ＣｍＡと用紙Ｂに関する調整値ＣｍＢとの対応関係を求めた補正カーブが作成できる。
なお、Ｍ色成分,Ｙ色成分,Ｋ色成分についても同様であり、上記した変換係数群においてｘ＝Ｃ,Ｍ,Ｙ,Ｋである（以下、同様である。）。
【００３７】
ここで、図５は、一例として、色差が同じとなる（ＤＡ＝ＤＢ）用紙ＡでのＣ座標値ＣＡと用紙ＢでのＣ座標値ＣＢとを対応付ける（突当て処理）ことで、Ｃ成分についての用紙Ａに関する調整値ＣｍＡと用紙Ｂに関する調整値ＣｍＢとの対応関係を求めた補正カーブを例示した図である。図５に例示した補正カーブでは、例えば、用紙Ａに関する調整値ＣｍＡ＝２２が、用紙Ｂに関する調整値ＣｍＢ＝２４に対応付けられる。
このようにして、用紙間変換係数群算出部２６は、図５に例示した補正カーブを、例えば用紙Ａに関する調整値ＣｍＡ（＝１〜１００％）と、それに対応付けられる用紙Ｂに関する調整値ＣｍＢ（＝１〜１００％）との組み合わせで構成される１次元ＬＵＴ（用紙Ａ→用紙Ｂ変換係数群：ｘｍＢ＝ＦＡ→Ｂ（ｘｍＡ））として算出する（ここで、ｘｍ＝Ｃｍ,Ｍｍ,Ｙｍ,Ｋｍ：以下、同様である。）。この場合に、調整値ＣｍＡおよび調整値ＣｍＢは１〜１００％の範囲の大きさを持つが、用紙により色再現域が異なることも考慮し、用紙ＡでのＣ座標値ＣＡと用紙ＢでのＣ座標値ＣＢとを対応付けた際の補正カーブの傾向を基に、調整値ＣｍＡおよび調整値ＣｍＢについて１００％以上（例えば１２０％まで）の範囲で補正カーブを予測してもよい。それにより、１次元ＬＵＴを用いた各用紙間のキャリブレーションプロファイルの調整によって、最終的に調整値ＣｍＡおよび調整値ＣｍＢの何れかが１００％以上の値に対応付けられた場合には、１００％以上の値に対応付けられた調整値ＣｍＡおよび調整値ＣｍＢを１００％に設定するクリッピング処理や所謂丸め処理を行えばよい。
【００３８】
このように、用紙間変換係数群算出部２６は、図５に例示したＣ色成分についての補正カーブを、例えば用紙Ａに関する調整値ＣｍＡ（＝１〜１００％）と、それに対応付けられる用紙Ｂに関する調整値ＣｍＢ（＝１〜１００％）との組み合わせで構成される１次元ＬＵＴとして算出する。この場合に、上記したように、用紙Ａに関する調整値ＣｍＡから用紙Ｂに関する調整値ＣｍＢを対応付ける１次元ＬＵＴと、用紙Ｂに関する調整値ＣｍＢから用紙Ａに関する調整値ＣｍＡを対応付ける１次元ＬＵＴとの双方を算出する。Ｍ色成分,Ｙ色成分,Ｋ色成分についても同様である。
そして、用紙間変換係数群算出部２６は、算出した１次元ＬＵＴを用紙間変換係数群記憶部２７に出力（登録）する。それにより、用紙間変換係数群記憶部２７は、用紙Ａのキャリブレーションプロファイルと用紙Ｂのキャリブレーションプロファイルとを双方向から対応付ける各色成分毎の１次元ＬＵＴを記憶する。
用紙間変換係数群算出部２６は、他の用紙のキャリブレーションプロファイルに関しても、用紙Ａのキャリブレーションプロファイルと双方向から対応付ける各色成分毎の１次元ＬＵＴを算出し、用紙間変換係数群記憶部２７に記憶する。
【００３９】
＜用紙毎のキャリブレーションプロファイルの更新の説明＞
システム制御部３０は、ＵＩ部６０にてユーザから色調整部２９にて使用されるキャリブレーションプロファイルの更新指示を受け付けると、画像形成機能部４０に対し、例えば標準紙（用紙Ａ：第３の用紙の一例）が収容された用紙収容部４１から用紙Ａを送り出し、用紙Ａに上記したカラーチャートを形成することを指示する。また、システム制御部３０は、色調整処理部２０の色調整制御部２４に対し、キャリブレーションプロファイルの更新命令と、画像形成機能部４０にてカラーチャートが形成された用紙の種類（「用紙Ａ」）に関する用紙情報とを送信する。
さらには、システム制御部３０は、ディスプレイ７０を介してユーザに対し、測色装置５によりカラーチャートに形成されたパッチを測色するように指示する。それにより、ユーザが測色装置５によりカラーチャートに形成されたパッチを測色すると、測色データ入力部２１が測色装置５にて測色された測色データを取得し、測色データ記憶部２３に記憶する。
【００４０】
色調整処理部２０の色調整制御部２４は、調整用変換係数群算出部２５および更新部２８に対し、キャリブレーションプロファイルの更新を指示する。それにより、調整用変換係数群算出部２５は、測色データ記憶部２３から測色データを取得し、標準データ記憶部２２から標準データを取得する。そして、取得した測色データと標準データとを用いて、キャリブレーションプロファイル（第３の用紙の調整用変換係数群の一例）を算出し、色調整制御部２４から取得した用紙情報に基づき用紙の種類（「用紙Ａ」）に対応付けて更新部２８に出力する。
【００４１】
更新部２８は、調整用変換係数群算出部２５が算出したキャリブレーションプロファイルを用紙Ａに対応付けて調整用変換係数群記憶部５１に記憶する。それにより、調整用変換係数群記憶部５１に記憶されていた用紙Ａに関するキャリブレーションプロファイルは書き換えられる。
引き続いて、更新部２８は、用紙間変換係数群記憶部２７から、用紙Ａに関する調整値ＣｍＡから用紙Ｂ（第４の用紙の一例）に関する調整値ＣｍＢを対応付ける１次元ＬＵＴ（用紙Ａ→用紙Ｂ変換係数群：ＣｍＢ＝ＦＡ→Ｂ（ＣｍＡ））と、用紙Ａに関する調整値ＣｍＡから用紙Ｃ（第４の用紙の一例）に関する調整値ＣｍＣを対応付ける１次元ＬＵＴ（用紙Ａ→用紙Ｃ変換係数群：ＣｍＣ＝ＦＡ→Ｃ（ＣｍＡ））とを取得する。そして、更新部２８は、調整用変換係数群記憶部５１に記憶された用紙Ａに関するキャリブレーションプロファイルから、用紙Ａ→用紙Ｂ変換係数群を用いて用紙Ｂに関するキャリブレーションプロファイル（第４の用紙に関する調整用変換係数群の一例）を算出する。
【００４２】
具体的には、用紙Ａに関するキャリブレーションプロファイルの調整値（ＣｍＡ,ＭｍＡ,ＹｍＡ,ＫｍＡ）における各グリッドの各色成分値ＣｍＡ,ＭｍＡ,ＹｍＡ,ＫｍＡに対し、各色成分毎の１次元ＬＵＴ（用紙Ａ→用紙Ｂ変換係数群：ｘＢ＝ＦＡ→Ｂ（ｘＡ））を用いて演算する。例えば、用紙Ａに関するキャリブレーションプロファイルの各グリッドのＣ色成分ＣｍＡに対し、ＦＡ→Ｂ（ＣｍＡ）の演算を行う。同様に、用紙Ａに関するキャリブレーションプロファイルの各グリッドの各色成分ＭｍＡ,ＹｍＡ,ＫｍＡに対して、ＦＡ→Ｂ（ＭｍＡ）,ＦＡ→Ｂ（ＹｍＡ）,ＦＡ→Ｂ（ＫｍＡ）の演算を行う。それにより、用紙Ｂに関するキャリブレーションプロファイルとして、「（ＣｍＡ,ＭｍＡ,ＹｍＡ,ＫｍＡ）→（ＣｍＢ,ＭｍＢ,ＹｍＢ,ＫｍＢ）：ｘｍＢ＝ＦＡ→Ｂ（ｘｍＡ）」を作成する。ここで、ＣｍＢ＝ＦＡ→Ｂ（ＣｍＡ）,ＭｍＢ＝ＦＡ→Ｂ（ＭｍＡ）,ＹｍＢ＝ＦＡ→Ｂ（ＹｍＡ）,ＫｍＢ＝ＦＡ→Ｂ（ＫｍＡ）である。
【００４３】
同様にして、更新部２８は、用紙Ａに関するキャリブレーションプロファイルから、１次元ＬＵＴ（用紙Ａ→用紙Ｃ変換係数群：ｘＣ＝ＦＡ→Ｃ（ｘＡ））を用いて用紙Ｃに関するキャリブレーションプロファイル「（ＣｍＡ,ＭｍＡ,ＹｍＡ,ＫｍＡ）→（ＣｍＣ,ＭｍＣ,ＹｍＣ,ＫｍＣ）：ｘｍＣ＝ＦＡ→Ｃ（ｘｍＡ）」を作成する。ここで使用される１次元ＬＵＴ（用紙Ａ→用紙Ｃ変換係数群：ｘＣ＝ＦＡ→Ｃ（ｘＡ））は、Ｃ色成分について（ＣｍＡ→ＣｍＣ）、Ｍ色成分について（ＭｍＡ→ＭｍＣ）、Ｙ色成分について（ＹｍＡ→ＹｍＣ）、Ｋ色成分について（ＫｍＡ→ＫｍＣ）と変換するものであり、ＣｍＣ＝ＦＡ→Ｃ（ＣｍＡ）,ＭｍＣ＝ＦＡ→Ｃ（ＭｍＡ）,ＹｍＣ＝ＦＡ→Ｃ（ＹｍＡ）,ＫｍＣ＝ＦＡ→Ｃ（ＫｍＡ）である。
更新部２８は、算出した用紙Ｂおよび用紙Ｃに関するキャリブレーションプロファイルを、それぞれ用紙Ｂおよび用紙Ｃに対応付けて調整用変換係数群記憶部５１に記憶する。それにより、調整用変換係数群記憶部５１に記憶されていた用紙Ｂおよび用紙Ｃに関するキャリブレーションプロファイルは書き換えられる。
【００４４】
なお、更新対象となる例えば用紙Ａに関するキャリブレーションプロファイルの変動量が小さいと予測される場合には、調整用変換係数群算出部２５にて今回の測色データと前回の測色データとから、例えば、上記した用紙間変換係数群の算出と同様の方法を用いて今回の測色データと前回の測色データとの対応関係を各色成分毎の１次元ＬＵＴとして算出し、更新部２８が、この１次元ＬＵＴを用いて、調整用変換係数群記憶部５１に記憶されているキャリブレーションプロファイルを更新してもよい。また、調整用変換係数群算出部２５にてキャリブレーションプロファイルの中の一部、例えばＹ色成分,Ｍ色成分,Ｃ色成分についての３次元ＬＵＴ部分または３色成分（Ｃ成分,Ｍ成分,Ｙ成分）を混色させて生成した３次色部分を新たに作成し、更新部２８は、新たに作成した調整値については書き換え、その他についてはそのままの調整値を用いるような更新を行ってもよい。
【００４５】
＜標準紙以外の用紙のキャリブレーションプロファイルを用いた更新の説明＞
次に、ＵＩ部６０にてユーザから色調整部２９にて使用されるキャリブレーションプロファイルの更新指示を受け付けた場合に、画像形成機能部４０の用紙収容部４１〜４３の何れにも標準紙（用紙Ａ）が収容されていない場合について説明する。
その場合には、システム制御部３０は、標準紙との間での用紙間変換係数群が算出されている用紙（例えば、用紙Ｂまたは用紙Ｃ）が用紙収容部４１〜４３の何れかに収容されていないかを探索する。そして、用紙間変換係数群が算出されている例えば用紙Ｂ（第６の用紙の一例）が用紙収容部４２に収容されていた場合には、システム制御部３０は、画像形成機能部４０に対し、用紙収容部４２から用紙Ｂを送り出し、用紙Ｂに上記したカラーチャートを形成することを指示する。また、システム制御部３０は、色調整処理部２０の色調整制御部２４に対し、キャリブレーションプロファイルの更新命令と、画像形成機能部４０にてカラーチャートが形成された用紙の種類（「用紙Ｂ」）に関する用紙情報を送信する。
さらには、システム制御部３０は、ディスプレイ７０を介してユーザに対し、測色装置５によりカラーチャートに形成されたパッチを測色するように指示する。それにより、ユーザが測色装置５によりカラーチャートに形成されたパッチを測色すると、測色データ入力部２１が測色装置５にて測色された測色データを取得し、測色データ記憶部２３に記憶する。
【００４６】
色調整処理部２０の色調整制御部２４は、調整用変換係数群算出部２５および更新部２８に対し、キャリブレーションプロファイルの更新を指示する。それにより、調整用変換係数群算出部２５は、測色データ記憶部２３から測色データを取得し、標準データ記憶部２２から標準データを取得する。そして、取得した測色データと標準データとを用いて、キャリブレーションプロファイル（第６の用紙に関する調整用変換係数群の一例）を算出し、色調整制御部２４から取得した用紙情報に基づき用紙の種類（「用紙Ｂ」）に対応付けて更新部２８に出力する。
【００４７】
更新部２８は、調整用変換係数群算出部２５が算出したキャリブレーションプロファイルを用紙Ｂに対応付けて調整用変換係数群記憶部５１に記憶する。それにより、調整用変換係数群記憶部５１に記憶されていた用紙Ｂに関するキャリブレーションプロファイルは書き換えられる。
引き続いて、更新部２８は、用紙間変換係数群記憶部２７から、用紙Ｂ（第６の用紙の一例）に関する調整値ＣｍＢを用紙Ａ（第７の用紙の一例）に関する調整値ＣｍＡに対応付ける１次元ＬＵＴ（用紙Ｂ→用紙Ａ変換係数群：ｘＡ＝ＦＢ→Ａ（ｘＢ））と、用紙Ａ（第７の用紙の一例）に関する調整値ＣｍＡを用紙Ｃ（第５の用紙の一例）に関する調整値ＣｍＣに対応付ける１次元ＬＵＴ（用紙Ａ→用紙Ｃ変換係数群：ｘＣ＝ＦＡ→Ｃ（ｘＡ））とを取得する。そして、更新部２８は、調整用変換係数群記憶部５１に記憶された用紙Ｂに関するキャリブレーションプロファイルから、用紙Ｂ→用紙Ａ変換係数群を用いて用紙Ａに関するキャリブレーションプロファイルを算出する。
【００４８】
具体的には、用紙Ｂに関するキャリブレーションプロファイルの調整値（ＣｍＢ,ＭｍＢ,ＹｍＢ,ＫｍＢ）における各グリッドの各色成分値ＣｍＢ,ＭｍＢ,ＹｍＢ,ＫｍＢに対し、各色成分毎の１次元ＬＵＴ（用紙Ｂ→用紙Ａ変換係数群：ｘＡ＝ＦＢ→Ａ（ｘＢ））を用いた演算処理（以下、「１回演算」）を行う。例えば、キャリブレーションプロファイルの各グリッドのＣ色成分に対し、ＦＢ→Ａ（ＣｍＢ）の演算を行う。同様に、キャリブレーションプロファイルの各グリッドの各色成分ＭｍＢ,ＹｍＢ,ＫｍＢに対して、ＦＢ→Ａ（ＭｍＢ）,ＦＢ→Ａ（ＹｍＢ）,ＦＢ→Ａ（ＫｍＢ）の演算を行う。それにより、用紙Ａに関するキャリブレーションプロファイルとして、「（ＣｍＢ,ＭｍＢ,ＹｍＢ,ＫｍＢ）→（ＣｍＡ,ＭｍＡ,ＹｍＡ,ＫｍＡ）：ｘｍＡ＝ＦＢ→Ａ（ｘｍＢ）」を作成する。ここで、ＣｍＡ＝ＦＢ→Ａ（ＣｍＢ）,ＭｍＡ＝ＦＢ→Ａ（ＭｍＢ）,ＹｍＡ＝ＦＢ→Ａ（ＹｍＢ）,ＫｍＡ＝ＦＢ→Ａ（ＫｍＢ）である。
【００４９】
一方、用紙Ｃに関するキャリブレーションプロファイル（第５の用紙に関する用紙間変換係数群の一例）については、次のように算出する。すなわち、用紙Ｂに関するキャリブレーションプロファイル（第６の用紙に関する用紙間変換係数群の一例）の調整値（ＣｍＢ,ＭｍＢ,ＹｍＢ,ＫｍＢ）における各グリッドの各色成分値ＣｍＢ,ＭｍＢ,ＹｍＢ,ＫｍＢに対し、各色成分毎に、１次元ＬＵＴ（用紙Ｂ→用紙Ａ変換係数群：ｘＡ＝ＦＢ→Ａ（ｘＢ））を演算した後、さらに、１次元ＬＵＴ（用紙Ａ→用紙Ｃ変換係数群：ｘＣ＝ＦＡ→Ｃ（ｘＡ））を演算する２回の演算処理（以下、「２回演算」）を行う。
１次元ＬＵＴ（用紙Ｂ→用紙Ａ変換係数群：ｘＡ＝ＦＢ→Ａ（ｘＢ））および１次元ＬＵＴ（用紙Ａ→用紙Ｃ変換係数群：ｘＣ＝ＦＡ→Ｃ（ｘＡ））を用いて、キャリブレーションプロファイルの各グリッドの各色成分ＣｍＢ,ＭｍＢ,ＹｍＢ,ＫｍＢに対して、ＦＡ→Ｃ（ＦＢ→Ａ（ＣｍＢ））,ＦＡ→Ｃ（ＦＢ→Ａ（ＭｍＢ））,ＦＡ→Ｃ（ＦＢ→Ａ（ＹｍＢ））,ＦＡ→Ｃ（ＦＢ→Ａ（ＫｍＢ））の演算を行う。それにより、用紙Ｃに関するキャリブレーションプロファイルとして、「（ＣｍＢ,ＭｍＢ,ＹｍＢ,ＫｍＢ）→（ＣｍＣ,ＭｍＣ,ＹｍＣ,ＫｍＣ）：ｘｍＣ＝ＦＢ→Ｃ（ｘｍＢ）」を作成する。ここで、ＣｍＣ＝ＦＡ→Ｃ（ＦＢ→Ａ（ＣｍＢ））,ＭｍＣ＝ＦＡ→Ｃ（ＦＢ→Ａ（ＭｍＢ））,ＹｍＣ＝ＦＡ→Ｃ（ＦＢ→Ａ（ＹｍＢ））,ＫｍＣ＝ＦＡ→Ｃ（ＦＢ→Ａ（ＫｍＢ））である。
【００５０】
この場合に、１次元ＬＵＴ（用紙Ｂ→用紙Ａ変換係数群）と１次元ＬＵＴ（用紙Ａ→用紙Ｃ変換係数群）とをから、１次元ＬＵＴ（用紙Ｂ（第６の用紙の一例）→用紙Ｃ（第５の用紙の一例）変換係数群：ｘＣ＝ＦＢ→Ｃ（ｘＢ））を予め算出しておいてもよい。すなわち、Ｃ色成分が（ＣＢ→ＣＣ）、Ｍ色成分が（ＭＢ→ＭＣ）、Ｙ色成分が（ＹＢ→ＹＣ）、Ｋ色成分が（ＫＢ→ＫＣ）と変換する１次元ＬＵＴ（用紙Ｂ→用紙Ｃ変換係数群：ｘＣ＝ＦＢ→Ｃ（ｘＢ））を予め算出しておく。同様に、１次元ＬＵＴ（用紙Ｃ→用紙Ａ変換係数群：ｘＡ＝ＦＣ→Ａ（ｘＣ））と１次元ＬＵＴ（用紙Ａ→用紙Ｂ変換係数群：ｘＢ＝ＦＡ→Ｂ（ｘＡ））とをから、１次元ＬＵＴ（用紙Ｃ→用紙Ｂ変換係数群：ｘＢ＝ＦＣ→Ｂ（ｘＣ））を予め算出しておいてもよい。
それにより、用紙Ｂに関するキャリブレーションプロファイル（第６の用紙に関する用紙間変換係数群の一例）の調整値（ＣｍＢ,ＭｍＢ,ＹｍＢ,ＫｍＢ）における各グリッドの各色成分値ＣｍＢ,ＭｍＢ,ＹｍＢ,ＫｍＢに対し、各色成分毎に、１次元ＬＵＴ（用紙Ｂ→用紙Ｃ変換係数群：ｘＣ＝ＦＢ→Ｃ（ｘＢ））を乗算することで、用紙Ｃに関するキャリブレーションプロファイル（ｘｍＣ＝ＦＢ→Ｃ（ｘｍＢ）：第５の用紙に関する用紙間変換係数群の一例）が１回の演算処理（１回演算）で算出される。
【００５１】
なお、更新部２８は、調整用変換係数群算出部２５が算出した一の用紙（例えば、標準紙）に関するキャリブレーションプロファイルに基づいて更新する対象に関しては、ＵＩ部６０にてユーザから更新指示を受け付けた用紙に限定して行うようにしてもよい。すなわち、ＵＩ部６０にてキャリブレーションプロファイルの更新を行う対象用紙に関するユーザからの指定を受け付けるように構成する。例えば、ＵＩ部６０にてユーザが標準紙である用紙Ａと用紙Ｂを更新対象として指定した場合には、システム制御部３０が色調整処理部２０の色調整制御部２４に対し、キャリブレーションプロファイルの更新を行う用紙の種類を用紙Ａと用紙Ｂとに指示する構成とする。その場合には、それ以外の用紙、例えば用紙Ｃに関するキャリブレーションプロファイルについては更新を行わない。
【００５２】
また、用紙間変換係数群記憶部２７に予め記憶（登録）しておく１次元ＬＵＴ（用紙間変換係数群）を複数の用紙系列に分けた構成としてもよい。例えば、通常の紙質からなる普通紙の一つを標準紙とし、これを中心として用紙間変換係数群が形成された複数の普通紙群に関する「普通紙系列」と、表面が光沢処理された所謂コート紙の一つを標準紙とし、これを中心として用紙間変換係数群が形成された複数のコート紙群に関する「コート紙系列」とを設ける。
そして、この場合に、ＵＩ部６０にてキャリブレーションプロファイルの更新を行う対象とする用紙系列の指定を受け付けるように構成する。それにより、更新部２８が用紙間のキャリブレーションプロファイルの更新を行う対象用紙が限定されるので、演算処理の負担が低減される。また、同じ系列の用紙群に関しては、一括してキャリブレーションプロファイルの更新が行われるので、利便性が向上する。
【００５３】
また、ＵＩ部６０にてユーザからのキャリブレーションプロファイルの更新を行う際に使用する用紙の種類の指定を受け付けように構成してもよい。それにより、システム制御部３０は、画像形成機能部４０に対し、指定された用紙（例えば、標準紙（用紙Ａ））が収容された用紙収容部から用紙を送り出し、用紙に上記したカラーチャートを形成することを指示する。また、システム制御部３０は、色調整処理部２０の色調整制御部２４に対し、カラーチャートが形成された用紙に関する用紙情報を通知する。色調整制御部２４は、システム制御部３０から取得した用紙情報に応じて、キャリブレーションプロファイルの更新処理を行う。
【００５４】
また、本実施の形態では、画像形成システム１（画像形成機能部４０）に使用する色材として、例えばＣ色,Ｍ色,Ｙ色,Ｋ色の４色を用いる構成について述べたが、本発明は、例えばＬＣ（ライトシアン）色とＤＣ（ダークシアン）色、ＬＭ（ライトマゼンタ）色とＤＭ（ダークマゼンタ）色、Ｙ色、Ｋ色の６色を用いる構成等、４色以上の色材を用いる構成について同様に適用できる。
【００５５】
＜キャリブレーションプロファイルの更新処理の手順の説明＞
次に、図６−１および図６−２は、色調整処理部２０にて行われるキャリブレーションプロファイルの更新処理の内容の一例を示したフローチャートである。
図６−１に示したように、ＵＩ部６０がユーザからのキャリブレーションプロファイルの更新指示を受け付けると（ステップ１０１）、色調整制御部２４は、システム制御部３０からキャリブレーションプロファイルの更新命令と、カラーチャートが形成された用紙（以下、「使用用紙」）に関する用紙情報とを取得する（ステップ１０２）。この場合に、ディスプレイ７０にキャリブレーションプロファイルや用紙間変換係数群が登録された用紙の一覧表を表示し、ユーザがＵＩ部６０からキャリブレーションプロファイルの更新対象とする用紙を選択するように構成してもよい。
色調整制御部２４は、取得した用紙情報から、使用用紙が用紙間変換係数群記憶部２７に登録された１次元ＬＵＴ（用紙間変換係数群）にて基準（中心）とした標準紙（例えば、用紙Ａ）であるか否かを判定する（ステップ１０３）。
【００５６】
使用用紙が標準紙であれば（ステップ１０３でＹｅｓ）、色調整制御部２４は、調整用変換係数群算出部２５および更新部２８に対し、キャリブレーションプロファイルの更新を指示する（ステップ１０４）。それにより、調整用変換係数群算出部２５は、測色データ記憶部２３から取得した測色データと、標準データ記憶部２２から取得した標準データとを用いて、キャリブレーションプロファイル（４次元ＬＵＴ）を算出し、標準紙に対応付けて更新部２８に出力する（ステップ１０５）。
【００５７】
更新部２８は、調整用変換係数群算出部２５が算出したキャリブレーションプロファイルを標準紙（用紙Ａ）に対応付けて調整用変換係数群記憶部５１に記憶する（ステップ１０６）。それにより、調整用変換係数群記憶部５１に記憶されていた標準紙（用紙Ａ）に関するキャリブレーションプロファイルは書き換えられる。
引き続いて、更新部２８は、用紙間変換係数群記憶部２７から１次元ＬＵＴ（用紙Ａ→用紙Ｂ変換係数群）と、１次元ＬＵＴ（用紙Ａ→用紙Ｃ変換係数群）とを取得する。そして、更新部２８は、取得した１次元ＬＵＴと、調整用変換係数群記憶部５１に記憶した標準紙（用紙Ａ）に関するキャリブレーションプロファイルとから、上記した方法（１回演算）により、用紙Ｂに関するキャリブレーションプロファイルと、用紙Ｃに関するキャリブレーションプロファイルとを算出する（ステップ１０７）。更新部２８は、算出したキャリブレーションプロファイルをそれぞれ用紙Ｂおよび用紙Ｃに対応付けて調整用変換係数群記憶部５１に記憶する（ステップ１０８）。それにより、調整用変換係数群記憶部５１に記憶されていた用紙Ｂおよび用紙Ｃに関するキャリブレーションプロファイルは書き換えられる。
そして、色調整処理部２０は、キャリブレーションプロファイルの更新処理を終了する。
【００５８】
一方、使用用紙が標準紙でなければ（ステップ１０３でＮｏ）、色調整制御部２４は、使用用紙が標準紙のキャリブレーションプロファイルと対応付ける１次元ＬＵＴが登録された用紙（例えば、用紙Ｂまたは用紙Ｃ）であるか否かを判定する（ステップ１０９）。
使用用紙が標準紙と対応付けて登録された用紙（以下、「登録用紙」）であれば（ステップ１０９でＹｅｓ）、色調整制御部２４は、調整用変換係数群算出部２５および更新部２８に対し、キャリブレーションプロファイルの更新を指示する（ステップ１１０）。それにより、調整用変換係数群算出部２５は、測色データ記憶部２３から取得した測色データと、標準データ記憶部２２から取得した標準データとを用いて、キャリブレーションプロファイル（４次元ＬＵＴ）を算出し、使用用紙に対応付けて更新部２８に出力する（ステップ１１１）。
【００５９】
更新部２８は、調整用変換係数群算出部２５が算出したキャリブレーションプロファイルを使用用紙（例えば、用紙Ｂ）に対応付けて調整用変換係数群記憶部５１に記憶する（ステップ１１２）。調整用変換係数群記憶部５１に記憶されていた用紙Ｂに関するキャリブレーションプロファイルは書き換えられる。
引き続いて、更新部２８は、用紙間変換係数群記憶部２７から１次元ＬＵＴ（用紙Ｂ→用紙Ａ変換係数群）と、１次元ＬＵＴ（用紙Ａ→用紙Ｃ変換係数群）とを取得する。そして、取得した１次元ＬＵＴと、調整用変換係数群記憶部５１に記憶された使用用紙（用紙Ｂ）に関するキャリブレーションプロファイルとから、上記した方法（１回演算）により用紙Ａに関するキャリブレーションプロファイルと、上記した方法（２回演算）により、用紙Ｃに関するキャリブレーションプロファイルとを算出する（ステップ１１３）。更新部２８は、算出したキャリブレーションプロファイルをそれぞれ用紙Ａおよび用紙Ｃに対応付けて調整用変換係数群記憶部５１に記憶する（ステップ１１４）。それにより、調整用変換係数群記憶部５１に記憶されていた用紙Ａおよび用紙Ｃに関するキャリブレーションプロファイルは書き換えられる。
そして、色調整処理部２０は、キャリブレーションプロファイルの更新処理を終了する。
【００６０】
次に図６−２に移り、使用用紙（第１の用紙の一例）が標準紙でなく、かつ、登録用紙（用紙Ｂまたは用紙Ｃ）でもない場合には（ステップ１０３でＮｏ、ステップ１０９でＮｏ）、色調整制御部２４は、システム制御部３０から画像形成機能部４０の用紙収容部４１,４２,４３に収容された用紙に関する用紙情報を取得する（ステップ１１５）。
そして、画像形成機能部４０の用紙収容部４１,４２,４３の何れかに標準紙（用紙Ａ）、または登録用紙（用紙Ｂまたは用紙Ｃ）が収容されている場合には（ステップ１１６でＹｅｓ）、印刷指示手段の一例としても機能する色調整制御部２４は、システム制御部３０に対し、画像形成機能部４０において、現在の使用用紙に加えて標準紙または登録用紙（ここでは、標準紙であるとする）により色見本群の一例としてのカラーチャートを印刷するように指示する（ステップ１１７）。なお、この場合に、用紙収容部４１,４２,４３の何れかに標準紙が収容されている場合には、カラーチャートを印刷する対象として標準紙を優先させる。
それとともに、色調整制御部２４は、システム制御部３０に対し、ディスプレイ７０を介してユーザに、測色装置５により標準紙（第２の用紙の一例）に印刷されたカラーチャートに形成されたパッチを測色するように指示する表示を実行させる（ステップ１１８）。
【００６１】
一方、画像形成機能部４０の用紙収容部４１,４２,４３の何れにも標準紙（用紙Ａ）、および登録用紙（用紙Ｂまたは用紙Ｃ）が収容されていない場合には（ステップ１１６でＮｏ）、色調整制御部２４は、システム制御部３０に対し、ディスプレイ７０を介してユーザに、用紙収容部４１,４２,４３の何れかに標準紙を収容するように指示する表示を実行させる（ステップ１１９）。そして、ステップ１１５に戻り、再度、システム制御部３０から画像形成機能部４０の用紙収容部４１,４２,４３に収容された用紙に関する用紙情報を取得する。
【００６２】
ユーザが測色装置５により標準紙に印刷されたカラーチャートに形成されたパッチを測色し、使用用紙および標準紙に関する測色データが測色データ入力部２１に入力され、測色データ記憶部２３に記憶されると（ステップ１２０）、色調整制御部２４は、調整用変換係数群算出部２５および更新部２８に対し、使用用紙に関するキャリブレーションプロファイルの更新を指示する（ステップ１２１）。それにより、調整用変換係数群算出部２５は、測色データ記憶部２３から取得した使用用紙および標準紙に関する測色データと、標準データ記憶部２２から取得した標準データとを用いて、使用用紙に関するキャリブレーションプロファイル（第１の調整用変換係数群の一例）と標準紙に関するキャリブレーションプロファイル（第２の調整用変換係数群の一例）とを算出し、それぞれ使用用紙（例えば、用紙Ｄ）および標準紙に対応付けて更新部２８に出力する（ステップ１２２）。
更新部２８は、調整用変換係数群算出部２５が算出した使用用紙に関するキャリブレーションプロファイルを使用用紙（用紙Ｄ）に対応付けて調整用変換係数群記憶部５１に記憶する（ステップ１２３）。それにより、用紙Ｄに関するキャリブレーションプロファイルは、調整用変換係数群記憶部５１に新たに記憶される。この場合に、更新部２８は、調整用変換係数群算出部２５が算出した標準紙に関するキャリブレーションプロファイルも、標準紙に対応付けて調整用変換係数群記憶部５１に記憶してもよい。それにより、標準紙に関するキャリブレーションプロファイルは書き換えられる。
【００６３】
引き続き、色調整制御部２４は、用紙間変換係数群算出部２６に対し、使用用紙（用紙Ｄ）に関するキャリブレーションプロファイル（第１の調整用変換係数群の一例）と、標準紙に関するキャリブレーションプロファイル（第２の調整用変換係数群の一例）とをそれぞれ相互に対応付ける用紙間変換係数群の算出を指示する（ステップ１２４）。それにより、用紙間変換係数群算出部２６は、色調整制御部２４から用紙情報を取得する（ステップ１２５）。さらに、用紙間変換係数群算出部２６は、測色データ記憶部２３から使用用紙に関する１次色測色データと、標準紙に関する１次色測色データとを取得し（ステップ１２６）、上記した方法により、使用用紙（用紙Ｄ）に関するキャリブレーションプロファイルと、標準紙に関するキャリブレーションプロファイルとをそれぞれ相互に対応付ける用紙間変換係数群を算出する（ステップ１２７）。この場合に、上記したように、使用用紙に関する調整値を標準紙に関する調整値に対応付ける１次元ＬＵＴと、標準紙に関する調整値を使用用紙に関する調整値に対応付ける１次元ＬＵＴとの双方を各色成分毎に算出する。
そして、用紙間変換係数群算出部２６は、算出した用紙間変換係数群を用紙間変換係数群記憶部２７に記憶する（ステップ１２８）。そして、色調整処理部２０は、キャリブレーションプロファイルの更新処理を終了する。
【００６４】
なお、図６−１に示したステップ１１３では、上記した２回演算により、用紙Ｃに関するキャリブレーションプロファイルを算出した。この場合に、例えば、１次元ＬＵＴ（用紙Ｂ→用紙Ａ変換係数群）と１次元ＬＵＴ（用紙Ａ→用紙Ｃ変換係数群）とをから１次元ＬＵＴ（用紙Ｂ→用紙Ｃ変換係数群）が予め算出され、用紙間変換係数群記憶部２７に登録されている場合には、ここで示した２回演算により用紙Ｃに関するキャリブレーションプロファイルを算出するか、１次元ＬＵＴ（用紙Ｂ→用紙Ｃ変換係数群）を用いた１回演算により用紙Ｃに関するキャリブレーションプロファイルを算出するか、をユーザが受付手段の一例としても機能するＵＩ部６０にて選択できる構成としてもよい。１回演算を用いれば、演算を行う毎に生じる誤差が低減され、２回演算よりも精度が向上する。
【００６５】
また、上記の説明では、異なる特性を有する用紙相互間の変換係数群として１次元ＬＵＴを使用する例を用いた。しかし、本発明は、このような１次元ＬＵＴにより構成される変換係数群に限られるものではなく、変換係数群として例えば４次元ＤＵＴ等の多次元ＤＵＴを用いてもよい。その場合には、キャリブレーションプロファイルを算出する場合と同様な方法で変換係数群を算出すればよい。
【００６６】
以上説明したように、本実施の形態の色調整処理部２０では、使用する用紙の種類によって異なる各種キャリブレーションプロファイル相互間の対応関係を予め求めておく。そして、例えば、一の用紙（標準紙）についてキャリブレーションプロファイルの更新を行った場合に、更新された一の用紙についてのキャリブレーションプロファイルと、各種用紙に関するキャリブレーションプロファイルとの対応関係とを用いて、他の用紙についてのキャリブレーションプロファイルも更新する。それにより、一の用紙についてのキャリブレーションプロファイルの更新により、複数の用紙についてのキャリブレーションプロファイルの更新が行われる。そのため、使用する用紙が変更された場合にもその用紙に関するキャリブレーションプロファイルの更新を新たに行う頻度が低減し、画像データに施すキャリブレーションプ（調整）がより効率的に実施される。また、各種用紙についてのキャリブレーションプロファイルが更新されるので、使用する用紙が変更された場合に、他の用紙に関するキャリブレーションプロファイルを代用するよりも高い精度のキャリブレーションが実施される。
【符号の説明】
【００６７】
１…画像形成システム、１０…画像処理部、２０…色調整処理部（色調整処理装置）、２２…標準データ記憶部、２３…測色データ記憶部、２４…色調整制御部、２５…調整用変換係数群算出部、２６…用紙間変換係数群算出部、２７…用紙間変換係数群記憶部、２８…更新部、２９…色調整部、３０…システム制御部、５１…調整用変換係数群記憶部、６０…ユーザインタフェース（ＵＩ）部、７０…ディスプレイ
【図１】
2011009920.tif 000003
【図２】
2011009920.tif 000004
【図３】
2011009920.tif 000005
【図４】
2011009920.tif 000006
【図５】
2011009920.tif 000007
【図６−１】
2011009920.tif 000008
【図６−２】
2011009920.tif 000009